(57)【特許請求の範囲】
【請求項１】
帯状の弾性衝撃受体（２１）と、芝生模造葉片（２３）を上方突出状に保持した帯状の葉片保持体（２２）とが厚み方向に交互に並ぶように平行に配置され、芝生模造葉片（２３）の根部（２４）は、弾性衝撃受体（２１）の上端よりも下方に配置され、隣り合う弾性衝撃受体（２１）と葉片保持体（２２）とが互いに圧接するように締付具により締付固定されていることを特徴とするゴルフ用人工芝生。
【請求項２】
前記弾性衝撃受体（２１）と葉片保持体（２２）との間に、ティー（３７）を嵌合保持するための隙間（３６）が設けられていることを特徴とする請求項１に記載のゴルフ用人工芝生。
【請求項３】
前記葉片保持体（２２）に、前記の如く芝生模造葉片（２３）が上方突出状に保持されると共に、葉片保持体（２２）を上下反転して使用できるように、芝生模造葉片（２３）が下方突出状に保持されていることを特徴とする請求項１又は２に記載のゴルフ用人工芝生。
【発明の詳細な説明】
【０００１】
【発明の属する技術分野】
本発明は、部分的でしかも瞬間的に強い衝撃を受ける、特にゴルフでのショットする部分のティーグランド等において使用されるゴルフ用人工芝生に関する。
【０００２】
【従来の技術】
従来のゴルフ用人工芝生には、図２３及び図２４に示すように帯状の弾性衝撃受体１に芝生模造葉片２を上方突出状に保持し、このように芝生模造葉片２を一体化した弾性衝撃受体１を厚み方向に複数個平行に並べて保持し、この弾性衝撃受体１に形成された挿通孔３に挿入されるボルトと該ボルトに螺合されるナットとにより隣合う弾性衝撃受体１が互いに圧接するように締め付け固定するようにしたものがある（例えば特開昭６０−２３３２０７）。
【０００３】
また、他の従来のゴルフ用人工芝生には、図２５及び図２６に示すように板状の弾性衝撃受体５に保持溝６を多数平行に設け、この保持溝６に芝生模造葉片７を上方突出状に保持した帯状の葉片保持体８を保持して、芝生模造葉片７を複数列平行に設けるようにしたものがある（例えば実開昭６０−４０３）。
また、他の従来のゴルフ用人工芝生には、図２７及び図２８に示すように複数の弾性衝撃受体１１と、芝生模造葉片１２を上方突出状に保持した葉片保持体１３とを備え、芝生模造葉片１２が連通溝１４を通して弾性衝撃受体１１から上方突出するように、各弾性衝撃受体１１の嵌合孔１５に内嵌保持され、前記各弾性衝撃受体１１は、複数が横方向に平行に並ぶように配置され、弾性衝撃受体１１に形成された挿通孔１６に挿入されるボルトと該ボルトに螺合されるナットとにより隣合う弾性衝撃受体１１を互いに圧接するように締め付け固定したものがある（特公平３−４０７６１）。
【０００４】
【発明が解決しようとする課題】
しかし、ゴルフプレイを行うにあたって、図４に示すようにスタンス部では人体の踏圧やひねり等、又、ショット部ではゴルフクラブで叩かれた時の圧縮・伸長等に荷重が部分的でしかも瞬間的に非常に大きな荷重衝撃として加わる。この場合、図２３及び図２４に示すように弾性衝撃受体１と芝生模造葉片２とが一体化したものでは、図２９又は図３０に示すように弾性衝撃受体１の弾性変形に伴って芝生模造葉片２が移動し、又芝生模造葉片２が縦方向に埋設されていることや連設されていることもあって、芝生模造葉片２が弾性衝撃受体１の圧縮機能や伸長機能の妨げとなり、弾性衝撃受体１本来の動きができず、衝撃緩和が充分に果たせなかったり、芝生模造葉片２の埋設固定にも影響し、芝生模造葉片２が剥離し易くなる。又、図２９に示す如くクラブ１８の衝撃時に弾性衝撃受体１が前方へ収縮されるが、このとき芝生模造葉片２の間隔も、詰まって密集することになり、このことがクラブ抜けの大きな抵抗になる等の不都合を来していた。
【０００５】
また、図２５及び図２６に示すように弾性衝撃受体５が板状の場合には、ゴルフプレイの際の衝撃が部分衝撃にも拘わらず、弾性衝撃受体５に対して全面に衝撃が及ぶので、抵抗が大きく有効な衝撃緩和にならなかったり、ショットの衝撃が人工芝生全体を動かすことになるので、瞬間的な対応ができなかったり、又、スタンスの所まで衝撃の影響が及んで足元が不安定になるなどの不都合があった。
【０００６】
次に、図２７及び図２８に示すように弾性衝撃受体１１の中に葉片保持体１３が嵌め込まれたものについては、弾性衝撃受体１１に及ぶ荷重衝撃を葉片保持体１３も同様に受けることになり、充分な衝撃吸収ができず、やはり弾性衝撃受体１１の機能が充分果たせないし、常に葉片保持体１３にも衝撃が与えられることとなって葉片保持体１３の耐久性にも影響を及ぼすこととなる。又、スパイク等によって砂土が持ち込まれ、弾性衝撃受体１１内に侵入し、弾性衝撃受体１１の機能に支障を期たしたり、消耗度を早くするなど不都合も生じた。
【０００７】
本発明は上記問題点に鑑み、ゴルフプレイの際の衝撃を部分衝撃に止めることができると共に、弾性衝撃受体により衝撃を充分に緩和吸収でき、その衝撃による芝生模造葉片への影響を極力軽減できて、ショット時のクラブ抜けがよくなるようにしたものである。
【０００８】
【課題を解決するための手段】
この技術的課題を解決するための本発明の第１の技術的手段は、帯状の弾性衝撃受体２１と、芝生模造葉片２３を上方突出状に保持した帯状の葉片保持体２２とが厚み方向に交互に並ぶように平行に配置され、芝生模造葉片２３の根部２４は、弾性衝撃受体２１の上端よりも下方に配置され、隣り合う弾性衝撃受体２１と葉片保持体２２とが互いに圧接するように締付具により締付固定されている点にある。
【０００９】
本発明の第２の技術的手段は、前記弾性衝撃受体２１と葉片保持体２２との間に、ティー３７を嵌合保持するための隙間３６が設けられている点にある。
本発明の第３の技術的手段は、前記葉片保持体２２に、前記の如く芝生模造葉片２３が上方突出状に保持されると共に、葉片保持体２２を上下反転して使用できるように、芝生模造葉片２３が下方突出状に保持されている点にある。
【００１０】
従って、弾性衝撃受体２１と葉片保持体２２とを別体化して分離させ、厚み方向に交互に並ぶように平行に配置していることによって、ゴルフを行う際の衝撃を部分衝撃に止めることができると共に、弾性衝撃受体２１と葉片保持体２２とのそれぞれの役割分担が可能となり、荷重衝撃のほとんどを弾性衝撃受体２１にて充分に吸収緩和することができ、葉片保持体２２への衝撃の影響を極力軽減できる。
【００１１】
又、衝撃に対する圧縮の時に芝生模造葉片２３の根部２４が弾性衝撃受体２１の上端よりも下方にあって、クラブ１８が当たらないようになっていることによって、芝生模造葉片２３への衝撃の影響がなく、しなやかな芝生模造葉片２３の上方突出部のみが撓むだけなので、芝生模造葉片２３の耐久性も良くなる。
弾性衝撃受体２１と葉片保持体２２との間に、ティー３７を嵌合保持するための隙間３６が形成されている場合には、隙間にティー３７を差し込んでティー３７を嵌合保持することができ、ティーグランド等の、ティーアップを必要とする場所に設置すれば、便利に使用できる。
【００１２】
葉片保持体２２に、芝生模造葉片２３が上方突出状に保持されると共に、芝生模造葉片２３が下方突出状にも保持されている場合には、人工芝生の表側と裏側との両面が使用可能となり、その設置場所にて即座に表裏の切替えができる。
【００１３】
【発明の実施の形態】
以下、本発明を図示の実施の形態に従って説明する。図１〜図３において、２１は弾性衝撃受体で、ゴム又は合成樹脂等の弾性を有する材料によって帯状に形成されている。２２は葉片保持体で、軟質塩化ビニル等で帯状に形成されている。葉片保持体２２の上部に、芝生模造葉片２３の根部２４が列状に挟持固着され、これにより葉片保持体２２に多数の芝生模造葉片２３が上方突出状に保持され、多数の芝生模造葉片２３が列状に並んでいる。
【００１４】
前記弾性衝撃受体２１と葉片保持体２２とは多数設けられ、弾性衝撃受体２１と葉片保持体２２とが厚み方向に交互に並ぶように平行に配置され、芝生模造葉片２３の根部２４は、弾性衝撃受体２１の上端よりも下方に配置されている。
前記各弾性衝撃受体２１及び葉片保持体２２には、ボルト挿通孔２７，２８が夫々厚み方向に穿設されている。これらボルト挿通孔２７，２８は弾性衝撃受体２１及び葉片保持体２２の長手方向に一定間隔おきに複数個設けられると共に、各弾性衝撃受体２１及び葉片保持体２２のボルト挿通孔２７、２８は互いに対応する位置にあって連続している。
【００１５】
３１はボルトで、平行に配置された各弾性衝撃受体２１及び葉片保持体２２の対応するボルト挿通孔２７，２８に夫々挿通され、該ボルト３１の両端にはナット３２が螺合されている。このナット３２の締め付けにより隣合う弾性衝撃受体２１と葉片保持体２２とが順次圧接重合した状態になって平行に配置した多数の弾性衝撃受体２１及び葉片保持体２２が連結固定されている。
【００１６】
上記実施の形態によれば、次のような作用効果を奏する。ゴルフを行うにおいては、図４に示すように人工芝生を地面４２上に設置して使用する。このとき球をショットする（打つ）部分とスタンスする（立つ）部分に特に衝撃が集中し、人工芝生に対して一部分での集中荷重衝撃が加わることになるが、弾性衝撃受体２１と葉片保持体２２とを別体化して分離させ、厚み方向に交互に並ぶように平行に配置していることによって、ゴルフを行う際の衝撃を部分衝撃に止めることができると共に、弾性衝撃受体２１と葉片保持体２２とのそれぞれの役割分担が可能となり、荷重衝撃のほとんどを弾性衝撃受体２１にて充分に吸収緩和することができ、葉片保持体２２への衝撃の影響を極力軽減できる。このため、ショットした時のクラブ抜けが良く、使用感に優れ、且つ耐久性も向上する。又、ゴルフでショットした時の衝撃の強さや、スタンスでの足の踏ん張り・ひねり等が与える影響は部分的集中度が大きく、衝撃を受ける部分にあっては破損や消耗の頻度も激しくて部分取り替えが必要となるが、弾性衝撃受体２１と葉片保持体２２とを別体化しているので、破損部分のパーツのみ交換すればよいので、経済的にもなる。
【００１７】
本来、ゴルフのティーショットは天然の芝生にてショットするのが望ましい。これはショットした時に天然芝が容易に切り取られてしまうことによって衝撃抵抗が少なくクラブ抜けが良く、又、人体への負担も与えないからである。しかしながら、天然芝生はショットのたびに切り取られ土の面が露出してしまい、次のプレイに支障を期たすことになる。そこで、上記実施の形態の如く構成することによって、人工芝生を天然芝生でのショット感に最も近づけることができるようにしているのである。即ち、図５及び図６に示すようにクラブショットの衝撃は、一部分の、まず、しなやかな芝生模造葉片２３の上層部分に当たり、次いで弾性衝撃受体２１上部に当たる。このとき、弾性衝撃受体２１は、図５及び図６に示すように、その弾性のゆえクラブ１８の進行に対して当たると同時に上からは圧縮・前方は収縮・後方は伸長等の動きが発生する。その際、葉片保持体２２と弾性衝撃受体２１を別体化して分離させ、これら弾性衝撃受体２１と葉片保持体２２とが順次圧接重合した状態になっていることもあって、弾性衝撃受体２１のボルト３１間での動きや、図７に示すように弾性衝撃受体２１の横方向へのたわみも容易となり、より一層弾性衝撃受体２１が活動し易くなり、衝撃緩和が充分に行われる。又、衝撃による圧縮の時に、芝生模造葉片２３の根部２４が弾性衝撃受体２１の上端よりも下方にあって、クラブ１８が当たらないようになっていることによって、芝生模造葉片２３への衝撃の影響がなく、しなやかな芝生模造葉片２３の上方突出部のみが撓むだけなので、芝生模造葉片２３の耐久性も良くなる。よって、ゴルフプレイの際に、部分的で瞬間的な大きな衝撃に対処でき、クラブ抜けが良く、快適なゴルフプレイができ、しかも芝生模造葉片２３の耐久性の向上及び芝生模造葉片２３の部分的な取り替えによる経済的効果などを奏することができる。
【００１８】
図８及び図９は他の実施の形態を示し、弾性衝撃受体２１の両側面に間隔設定部３５が、長手方向に所定間隔をおいて外方突出状に設けられている。この間隔設定部３５が隣接する葉片保持体２２に接当することにより、弾性衝撃受体２１と葉片保持体２２との配置間隔を一定に保持し、これにより弾性衝撃受体２１と葉片保持体２２との間に、ティー３７を嵌合保持するための隙間３６が形成されている。従って、この場合、隙間３６にティー３７を差し込んでティー３７を嵌合保持することができ、ティーグランド等の、ティーアップを必要とする場所に設置すれば、便利に使用できる。
【００１９】
図１０は他の実施の形態を示し、弾性衝撃受体２１の下部両側に凹部３９が設けられると共に、図８及び図９の実施の形態と同様に、弾性衝撃受体２１の両側面に間隔設定部３５が、長手方向に所定間隔をおいて外方突出状に設けられ、これにより弾性衝撃受体２１と葉片保持体２２との間に、ティー３７を嵌合保持するための隙間３６が形成されている。なお、前記弾性衝撃受体２１のボルト挿通孔２７は、間隔設定部３５に対応して設けられている。
【００２０】
図１１及び図１２は夫々他の実施の形態を示し、葉片保持体２２に、芝生模造葉片２３が上方突出状に保持されると共に、葉片保持体２２を上下反転して使用できるように、他の芝生模造葉片２３が下方突出状に保持されている。その他の点は前記実施の形態と同様の構成である。従って、この場合、人工芝生の表側と裏側との両面が使用可能となり、その設置場所にて即座に表裏の切替えができる。なお、図１１及び図１２の場合、人工芝生を設置する際には、二点鎖線で示す如く葉片保持体２２から下方突出した芝生模造葉片２３が地面４２に押圧されて破損乃至変形しないように、地面４２に下駄４０を設置してその下駄４０の上に人工芝生を設置し、これにより葉片保持体２２から下方突出した芝生模造葉片２３を保護するようにすればよい。
【００２１】
図１３及び図１４、図１５及び図１６、図１７及び図１８、図１９及び図２０、図２１及び図２２は夫々弾性衝撃受体２１の変形例を示し、図１３及び図１４は弾性衝撃受体２１の下部を細く形成したもの、図１５及び図１６は弾性衝撃受体２１の両側面に凹み４３を設けたもの、図１７及び図１８は弾性衝撃受体２１の両側面に複数段の括れ４４を設けたもの、図１９及び図２０は弾性衝撃受体２１の内部に空洞４５を設けて弾性衝撃受体２１を中空にしたもの、図２１及び図２２は弾性衝撃受体２１の上部に括れ４６を設けたものである。
【００２２】
【発明の効果】
本発明によれば、ゴルフプレイの際の衝撃を部分衝撃に止めることができると共に、弾性衝撃受体２１により衝撃を充分に緩和吸収でき、その衝撃による芝生模造葉片２３への影響を極力軽減できて、ショット時のクラブ抜けがよくなり、使用感に優れ、且つ耐久性も向上する。又、弾性衝撃受体２１と葉片保持体２２とを別体化しているので、人工芝生に破損が生じた場合には、破損部分のパーツのみ交換すればよいので、経済的にもなる。
【００２３】
又、衝撃に対する圧縮の時に芝生模造葉片２３の根部２４が弾性衝撃受体２１の上端よりも下方にあって、クラブ１８が当たらないようになっていることによって、芝生模造葉片２３への衝撃の影響がなく、しなやかな芝生模造葉片２３の上方突出部のみが撓むだけなので、芝生模造葉片２３の耐久性も良くなる。
弾性衝撃受体２１と葉片保持体２２との間に、ティー３７を嵌合保持するための隙間３６が形成されているので、隙間３６にティー３７を差し込んでティー３７を嵌合保持することができ、ティーグランド等の、ティーアップを必要とする場所に設置すれば、便利に使用できる。
【００２４】
葉片保持体２２に、芝生模造葉片２３が上方突出状に保持されると共に、葉片保持体２２を上下反転して使用できるように、芝生模造葉片２３が下方突出状に保持されているので、人工芝生の表側と裏側との両面が使用可能となり、その設置場所にて即座に表裏の切替えができる。
【図面の簡単な説明】
【図１】本発明の一実施の形態を示す斜視図である。
【図２】同正面図である。
【図３】同平面図である。
【図４】同人工芝生の使用状態を示す斜視図である。
【図５】同作用説明用の側断面図である。
【図６】同作用説明用の側断面図である。
【図７】同作用説明用の正面図である。
【図８】他の実施の形態を示す平面図である。
【図９】同正面図である。
【図１０】他の実施の形態を示す正面図である。
【図１１】他の実施の形態を示す正面図である。
【図１２】他の実施の形態を示す正面図である。
【図１３】他の実施の形態を示す弾性衝撃受体の正面図である。
【図１４】同弾性衝撃受体の側面図である。
【図１５】他の実施の形態を示す弾性衝撃受体の正面図である。
【図１６】同弾性衝撃受体の側面図である。
【図１７】他の実施の形態を示す弾性衝撃受体の正面図である。
【図１８】同弾性衝撃受体の側面図である。
【図１９】他の実施の形態を示す弾性衝撃受体の正面図である。
【図２０】同弾性衝撃受体の側面図である。
【図２１】他の実施の形態を示す弾性衝撃受体の正面図である。
【図２２】同弾性衝撃受体の側面図である。
【図２３】従来例を示す正断面図である。
【図２４】同斜視図である。
【図２５】従来例を示す正断面図である。
【図２６】同斜視図である。
【図２７】従来例を示す正断面図である。
【図２８】同斜視図である。
【図２９】従来の問題点説明用の側面図である。
【図３０】従来の問題点説明用の側面図である。
【符号の説明】
２１        弾性衝撃受体
２２        葉片保持体
２３        芝生模造葉片
２４        根部
３５        間隔設定部
３６        隙間
【図１】
0003683628.tif 000002
【図２】
0003683628.tif 000003
【図３】
0003683628.tif 000004
【図４】
0003683628.tif 000005
【図５】
0003683628.tif 000006
【図６】
0003683628.tif 000007
【図７】
0003683628.tif 000008
【図８】
0003683628.tif 000009
【図９】
0003683628.tif 000010
【図１０】
0003683628.tif 000011
【図１１】
0003683628.tif 000012
【図１２】
0003683628.tif 000013
【図１３】
0003683628.tif 000014
【図１４】
0003683628.tif 000015
【図１５】
0003683628.tif 000016
【図１６】
0003683628.tif 000017
【図１７】
0003683628.tif 000018
【図１８】
0003683628.tif 000019
【図１９】
0003683628.tif 000020
【図２０】
0003683628.tif 000021
【図２１】
0003683628.tif 000022
【図２２】
0003683628.tif 000023
【図２３】
0003683628.tif 000024
【図２４】
0003683628.tif 000025
【図２５】
0003683628.tif 000026
【図２６】
0003683628.tif 000027
【図２７】
0003683628.tif 000028
【図２８】
0003683628.tif 000029
【図２９】
0003683628.tif 000030
【図３０】
0003683628.tif 000031